(57)【要約】【課題】  背凭れを起立状態から倒し始めたときに、フットレストの押し上げ角度が大きくなるようにできるフットレスト付き椅子を提供する。【解決手段】  座部20の後端にリクライニング装置32により傾動可能に配備された背凭れ30と、座部20の先端に傾動可能に配備されたフットレスト40とを具え、フットレスト40は、背凭れ30にリンク機構50を介して連繋され、背凭れ30の傾動に連動して、フットレスト40を傾動可能としたフットレスト付き椅子において、リンク機構50は、背凭れ30を最も起きあがっている状態から倒し始めたときに、フットレスト40の持ち上がり角度が大きくなるようにしている。【選択図】  図３
2005102917.tif 000002
【特許請求の範囲】
【請求項１】
座部(20)の後端にリクライニング装置(32)により傾動可能に配備された背凭れ(30)と、座部(20)の先端に傾動可能に配備されたフットレスト(40)とを具え、フットレスト(40)は、背凭れ(30)にリンク機構(50)を介して連繋され、背凭れ(30)の傾動に連動して、フットレスト(40)を傾動可能としたフットレスト付き椅子において、
リンク機構(50)は、背凭れ(30)を最も起きあがっている状態から倒し始めたときに、フットレスト(40)の持ち上がり角度が大きくなるようにしていることを特徴とするフットレスト付き椅子。
【請求項２】
リンク機構(50)は、フットレスト(40)の回転中心よりも下方位置にて回転自由に支持された第１リンク(51)と、背凭れ(30)の下端と第１リンク(51)とを連結する第２リンク(55)を具え、第１リンク(51)の自由端は、フットレスト(40)の裏面に配備された受部(57)に当接する請求項１に記載のフットレス付き椅子。
【請求項３】
受部(57)は、フットレスト(40)から離れる方向に中央が突出している請求項２に記載のフットレス付き椅子。
【請求項４】
第１リンク(51)の自由端には、ローラ(52)が回転自在に配備されており、ローラ(52)は受部(57)上を転動する請求項２又は請求項３に記載のフットレスト付き椅子。
【請求項５】
第２リンク(55)は、第１リンク(51)に後方に向けて突設された連結軸(53)に連結される請求項２乃至請求項４の何れかに記載のフットレスト付き椅子。
【請求項６】
第２リンク(55)は、折り畳み可能且つ展開可能であり、第２リンク(55)を折り畳むことにより、フットレスト(40)を最も押し下げた状態で、背凭れ(30)を倒すことができるる請求項２乃至請求項５の何れかに記載のフットレスト付き椅子。
【請求項７】
リクライニング装置(32)は、電動式であって、操作部(70)により操作可能であって、使用者が操作部(70)を操作して、リクライニング装置(32)を、背凭れ(30)が倒れる方向に操作したときに、背凭れ(30)が所定の角度に至ったときにリクライニング装置(32)による背凭れ(30)の倒し動作を停止させる請求項１乃至請求項６に記載のフットレスト付き椅子。
【発明の詳細な説明】
【技術分野】
【０００１】
本発明は、フットレスト付き椅子に関し、より具体的には、背凭れに連動して出没するフットレストを具えた椅子に関するものである。
【背景技術】
【０００２】
フットレスト付き椅子は、マッサージ機や、安楽椅子、リクライニングソファ、理髪用椅子、治療用椅子等、多くの分野で利用されている。
背凭れとフットレストを具える椅子では、使い勝手や快適性、施療効果等を向上させる目的で、背凭れとフットレストをリクライニング機構により傾動可能にしたものがある。
一般に、背凭れを倒した状態では、フットレストを上げている方が快適であり、背凭れを起こした状態ではフットレストを下げている方が快適である。
そこで、背凭れの起伏動作と、フットレストの出没動作を連動させて、使用者が夫々のリクライニング機構を別個に操作する必要がないようにしたものもある(例えば、特許文献１参照)が、この種椅子では、背凭れとフットレストの傾動が比例しており、背凭れを倒す角度に合わせて、一定角度ずつフットレストが押し上げられる。従って、フットレストが最も持ち上がるのは、背凭れを最も倒したときだけである。
【０００３】
【特許文献１】特開２０００−２３６９７８号公報(全文)
【発明の開示】
【発明が解決しようとする課題】
【０００４】
しかしながら、一般的に、椅子を使用する際に、背凭れを倒す角度は、水平位置から４０度程度が多い。この場合、フットレストは４５度程度しか押し上げられないので、足を伸ばしたくつろぎ姿勢をとることはできなかった。
本発明の目的は、背凭れを起立状態から倒し始めたときに、フットレストの押し上げ角度が大きくなるようにできるフットレスト付き椅子を提供することである。
【課題を解決するための手段】
【０００５】
座部の後端にリクライニング装置により傾動可能に配備された背凭れと、座部の先端に傾動可能に配備されたフットレストとを具え、フットレストは、背凭れにリンク機構を介して連繋され、背凭れの傾動に連動して、フットレストを傾動可能としたフットレスト付き椅子において、
リンク機構は、背凭れを最も起きあがっている状態から倒し始めたときに、フットレストの持ち上がり角度が大きくなるようにした。
【発明の効果】
【０００６】
本発明のフットレス付き椅子は、背凭れが最も起きあがっている状態から倒し始めたときに、フットレストの持ち上がり角度を大きくしているから、少し背凭れを倒しただけでも、フットレストが大きく持ち上がり、使用者が背凭れにもたれた状態で足を伸ばしたくつろぎ姿勢を採ることができる。
従って、従来のように、使用者が足を伸ばした状態でくつろぐために、背凭れを最大限倒す必要はない。また、背凭れを倒し始めたときに、フットレストがほぼ水平まで持ち上がるから、背凭れを倒している状態で使用者が座部から前方へずり落ちることもない。
【発明を実施するための最良の形態】
【０００７】
図１は、本発明のリンク機構(50)を具えたフットレス付き椅子(10)の側面図である。
椅子(10)は、使用者の腰掛ける座部(20)と、該座部(20)の後端に傾動可能に支持された背凭れ(30)、座部(20)の先端に傾動可能に支持されたフットレスト(40)、座部(20)の両側から上方に向けて形成された肘掛け(12)とを有している。なお、図１等では、紙面手前側の肘掛け(12)を取り外した状態を示している。
【０００８】
座部(20)は、下面に配備された座部フレーム(22)から複数の脚部(24)(24)が下向きに突設されており、脚部(24)(24)の下端は平行に延びる脚板(26)に連結されている。
【０００９】
フットレスト(40)は、使用者の膝よりも下の部分、主としてふくらはぎを載せるものであり、内部に必要に応じてローラ、エアバック、バイブレーションユニット等のマッサージ装置を配備可能となっており、外周はカバーやクッションにより包囲されている。フットレスト(40)の裏面、即ち、使用者の足を載せる側とは逆側の面には、フレーム(42)が通されており、該フレーム(42)の基端はフットレスト(40)から突出して、座部フレーム(22)に回動自在に連結されている。また、フットレスト(40)のフレーム(42)には、後記する受部(57)が配備されている。
【００１０】
背凭れ(30)は、使用者の腰より上の部分、即ち、背中や頭部が当接する部分であり、内部に必要に応じて、上記と同様のマッサージ装置を配備可能となっており、外周はカバーやクッションにより包囲されている。
背凭れ(30)の下端近傍には、座部フレーム(22)と回動自在に連結されるフレーム(34)が配備されており、背凭れ(30)の下端には、後記する第２リンク(55)が回動自在に連結される下部フレーム(36)が配備されている。背凭れ(30)は、座部フレーム(22)との連結部を中心として傾動する。
【００１１】
背凭れ(30)及びフットレスト(40)のリクライニング装置(32)として、モータ(図示せず)の回転力をネジ推力に変換して長さが変わる電動式の装置を例示でき、図１に示すように、リクライニング装置(32)の一端は座部フレーム(22)の前端近傍に取り付けられており、他端は背凭れ(30)の下部フレーム(36)に連結されている。なお、リクライニング装置(32)は、電動式のものに限らず、手動式のものを用いてもよい。また、油圧ピストンにより作動するものでもよい。
図示のリクライニング装置(32)は、操作部(70)によって操作することができる。使用者が、操作部(70)の「倒」ボタン(72)を押すと、ネジ推力によりリクライニング装置(32)が縮んで、背凭れ(30)の下端が前方に引っ張られて背凭れ(30)が倒れ、操作部(70)の「起」ボタン(74)を押すと、ネジ推力によりリクライニング装置(32)が伸びて、背凭れ(30)の下端が後方に押し出されて背凭れ(30)が起きあがるように設定されている。
【００１２】
背凭れ(30)とフットレスト(40)は、図１に示すようなリンク機構(50)によって接続される。リンク機構(50)は、脚板(26)の前端に回動可能に支持された第１リンク(51)と、該第１リンク(51)を背凭れ(30)の下部フレーム(36)に連結する第２リンク(55)とを具える。
第１リンク(51)は、自由端側にローラ(52)が回転自在に配備されている。また、第１リンク(51)の中央よりやや上側は後方に向けて屈曲しており、屈曲部分から後方に向けて連結軸(53)が突設されている。
第２リンク(55)は、一端が第１リンク(51)の連結軸(53)の先端に回動自在に連結されており、他端が背凭れ(30)の下部フレーム(36)に連結されている。第２リンク(55)は、後記する配送、保管の便宜上、図６及び図７に示すように、略中央部で折り畳み可能な構成を採っている。使用者が椅子(10)を使用する際には、折り畳み部は展開され、直線状態でロック可能となっている。なお、第２リンク(55)の折り畳み可能な構成については、後述する。
【００１３】
第１リンク(51)の先端ローラ(52)は、フットレスト(40)の裏面フレーム(42)に両端が固定された受部(57)に転動可能に当接している。受部(57)は、図１に示すように、略中央部がフットレスト(40)から離れる方向に突出し、くの字型形状に屈曲している。なお、受部(57)を図示の如く、くの字型に曲げているのは、背凭れ(30)が最も起立した状態から少し倒したときに、最もフットレスト(40)の上昇度合いが大きくなるように調整したためであり、このような動作を維持できれば、必ずしもくの字型形状に限定されるものではない。
【００１４】
上記構成のリンク機構(50)を具えるフットレスト付き椅子(10)の動作について説明する。
図１に示すように、背凭れ(30)が最も起立し(図示では背凭れの角度は水平面から約６０度)、フットレスト(40)が最も押し下げられた状態から(図示ではフットレストの裏面の角度は水平面から約９０度)、リクライニング装置(32)を駆動し、リクライニング装置(32)を縮める。これにより、背凭れ(30)の下端が前方に引っ張られ、背凭れ(30)が座部フレーム(22)との連結部を中心として後方に傾動する。また、リクライニング装置(32)の後方への傾動動作に伴って、背凭れ(30)の下部フレーム(36)に連結された第２リンク(55)が前方に移動し、連結軸(53)を介して第１リンク(51)を前傾させる。第１リンク(51)の前傾動作により、第１リンク(51)の先端ローラ(52)がフットレスト(40)の受部(57)上を転動しつつ受部(57)を押し上げ、フットレスト(40)は、座部フレーム(22)との連結部を中心として上方に持ち上げられる(図２参照)。受部(57)は、上記のように、くの字型に屈曲しているので、受部(57)を水平にした場合に比べて、ローラ(52)により押し上げたときのフットレスト(40)の持ち上がり角度は大きいものとなる。
図２は、背凭れ(30)を水平面から約５０度まで傾けた状態を示している。このとき、フットレスト(40)は、約５０度まで持ち上がっていることがわかる。
図３に示すように、背凭れ(30)を図２の状態から更に約１０度傾ける、即ち、水平面から約４０度まで傾けると、フットレスト(40)は水平面から約２５度まで傾く。
図４に示すように、背凭れ(30)を図３の状態から更に約１０度傾ける、即ち、水平面から約３０度まで傾けると、フットレスト(40)は水平面から約１５度まで傾く。
図５に示すように、背凭れ(30)を図４の状態から更に約１５度傾ける、即ち、水平面から約１５度まで傾けても、フットレスト(40)は、図４と同様に水平面から約１５度傾いたまま維持される。
【００１５】
上記のように、背凭れ(30)の傾動角度と、フットレスト(40)の傾動角度は、比例状態にはなく、背凭れ(30)の倒し始めから１０度毎に、フットレスト(40)の持ち上がり角度は、約４０度、約２５度、約１０度となり、最後の約１５度では、フットレスト(40)はそれ以上持ち上がらないようになっている。
つまり、背凭れ(30)を倒し始めたときに、一気にフットレスト(40)は持ち上げられ、その後、徐々に持ち上がり角度が小さくなっている。
このようにフットレスト(40)の持ち上がり角度を調整することにより、使用者は、背凭れ(30)の少しの倒し角度でも持ち上げられたフットレスト(40)に足を伸ばして載せることができるため快適であり、また、背凭れ(30)の倒し角度の小さいときには、使用者の重心は座部(20)にあり、このとき、フットレスト(40)の持ち上がり角度を大きくしているから、使用者が椅子(10)から前方へずり落ちることもない。
【００１６】
背凭れ(30)が傾いている状態から背凭れ(30)を起こす場合には、操作部(70)の「起」ボタン(74)を押すと、上記とは逆の経路(図４→図３→図２)を辿る。つまり、背凭れ(30)を起こし始めたときには、フットレスト(40)は少ししか押し下げられず、背凭れ(30)が最も起立する直前からフットレスト(40)が大きく押し下げられる。従って、背凭れ(30)を起こすときにも使用者が椅子(10)から前方へずり落ちることはない。
【００１７】
なお、リクライニング装置(32)を操作部(70)により操作可能とした場合、使用者が、操作部(70)の「倒」ボタン(72)を押したときに、背凭れ(30)が最大の傾動角度に至るまでに所定の角度、例えば、図３のように、よく使われる水平位置から４０度の角度で停止するよう制御することが望ましい。このような制御とすることにより、背凭れ(30)が一気に最後まで倒れず、使用者の背中が痛くなったり、無理な負荷が掛かることはない。この状態から更に背凭れ(30)を倒したい場合には、再度「倒」ボタン(72)を使用者が押すようにすればよい。
【００１８】
図６及び図７は、フットレスト付き椅子(10)を配送、保管の際に高さを低く、且つ、長さを短くするために、第２リンク(55)を折り畳み可能としたものである。図６及び図７に示すように、第２リンク(55)は、背凭れ(30)に接続される基端側リンクレバー(60)と、連結軸(53)に接続される先端側リンクレバー(63)から構成することができる。リンクレバー(60)(63)はコ字状にプレートを屈曲して構成され、基端側リンクレバー(60)は、溝部が上向きに開口し、先端側リンクレバー(63)は溝部が下向きに開口している。図７は、説明をわかりやすくするために、紙面手前側壁を取り去った断面図を示している。基端側リンクレバー(60)には、先端側リンクレバー(63)が回動可能に連結されており、先端に先端側リンクレバー(63)に設けられた係止片(64)と係合する凹み(61)が設けられている。また、基端側リンクレバー(60)と先端側リンクレバー(63)は、折り畳み方向、即ち展開を阻止する方向にトーションバネ(66)により付勢されている。
先端側リンクレバー(63)には、基端側リンクレバー(60)の凹み(61)に係合可能な係止片(64)が、リンクレバー(63)の長手方向に移動可能に配備されており、係止片(64)は、凹み(61)の移行路に突出すべく基端側リンクレバー(60)に向けてバネ付勢された状態で配置されている。
第２リンク(55)は、使用状態では、図１及び図７(ａ)に示すように、係止片(64)が凹み(61)に嵌まって、両リンクレバー(60)(63)が直線に展開した状態となっている。係止片(64)は、凹み(61)側に付勢されているから、使用状態で係止片(64)は凹み(61)から脱落することはない。
図７(ｂ)に示すように、係止片(64)を凹み(61)から押し出すと、両リンクレバー(60)(63)は、連結部分にて折り畳み可能となる。この状態から、背凭れ(30)を倒すと、両リンクレバー(60)(63)は、図６及び図７(ｃ)に示すように、トーションバネ(66)の付勢力により、Ｖ字型に折り畳まれる。リンクレバー(60)(63)、即ち第２リンク(55)が直線状の場合は、フットレスト(40)に対して独立して背凭れ(30)を倒すことができないが、リンクレバー(60)(63)を折り畳み可能とすることにより、図６に示すように、フットレスト(40)を最も押し下げた状態で、背凭れ(30)を後方に倒すことができるから、椅子(10)は、高さが低く、且つ、長さを短くでき、全体の体積を小さくして、配送、保管することができる。
【００１９】
使用者が椅子(10)を使用する場合には、フットレスト(40)を最も押し下げた状態で、背凭れ(30)のみを起こすことにより、トーションバネ(66)の付勢力に抗して、上記とは逆の経路を辿ってリンクレバー(60)(63)が展開し、係止片(64)がリンクレバー(60)の端面に沿って移動し、凹み(61)と係合して、リンクレバー(60)(63)が一体化して直線状となる。その後は、上記及び図１乃至５に示すように、フットレスト(40)と背凭れ(30)が連動して傾動する。即ち、購入後、使用者が一旦背凭れ(30)を起こすだけで、その他の特別な操作を必要とすることなく、フットレスト(40)と背凭れ(30)が連動した椅子(10)として使用できる。
【産業上の利用可能性】
【００２０】
本発明のフットレスト付き椅子は、背凭れが最も起立した状態から少し倒しただけで、フットレストが大きく持ち上がるため、倒し始めから足を伸ばしたくつろぎ姿勢を採ることができる。本発明のフットレスト付き椅子は、マッサージ機や、安楽椅子、リクライニングソファ、理髪用椅子、治療用椅子等として特に有用である。
【図面の簡単な説明】
【００２１】
【図１】本発明のフットレス付き椅子の側面図であって、背凭れを最も起立させた状態(水平面から約６０度)を示している。
【図２】本発明のフットレス付き椅子の側面図であって、背凭れを水平面から約５０度まで倒した状態を示している。
【図３】本発明のフットレス付き椅子の側面図であって、背凭れを水平面から約４０度まで倒した状態を示している。
【図４】本発明のフットレス付き椅子の側面図であって、背凭れを水平面から約３０度まで倒した状態を示している。
【図５】本発明のフットレス付き椅子の側面図であって、背凭れを水平面から約１５度まで倒した状態を示している。
【図６】フットレス付き椅子を配送、保管のために、フットレスを最も押し下げ、背凭れを最も倒した状態を示す側面図である。
【図７】第２リンクの直線状態から折り畳んだ状態までの変化を示す断面図である。
【図８】操作部の正面図である。
【符号の説明】
【００２２】
(10)  椅子
(20)  座部
(30)  背凭れ
(32)  リクライニング装置
(40)  フットレスト
(50)  リンク機構
(51)  第１リンク
(55)  第２リンク
(57)  受部
【図１】
2005102917.tif 000003
【図２】
2005102917.tif 000004
【図３】
2005102917.tif 000005
【図４】
2005102917.tif 000006
【図５】
2005102917.tif 000007
【図６】
2005102917.tif 000008
【図７】
2005102917.tif 000009
【図８】
2005102917.tif 000010